(57)【要約】【課題】非接触型ＩＣタグを用いた自然劣化部品等の期日管理システムにおいて、自然劣化部品の場合には、製品有効期限と現在時刻の比較がポイントになるが、人為的な時刻設定や設定変更には誤りが入り込む余地があり、誤判定を起こす可能性がある。【解決手段】非接触型ＩＣタグ１に保持されている有効期限情報を非接触で読み取る情報読み取り装置２と、時刻情報をのせた標準電波を受信する電波時計３と、情報読み取り装置２が読み取った有効期限情報を電波時計３から与えられる現在時刻で判定処理する制御装置４とを備える。非接触型ＩＣタグの有効期限情報を判定する上で基準となる現在時刻として、標準電波送信所によって高度に正確に管理され誤差のない標準電波に含まれる時刻情報を電波時計が受け取って用いるので、高精度な判定が可能となり、従来技術に認められたような人為的な時刻設定や時刻設定変更のミスに起因する誤判定を免れる。【選択図】図１
2008059067.tif 000002
【特許請求の範囲】
【請求項１】
期日情報を保持する非接触型ＩＣタグから前記期日情報を非接触で読み取るステップと、
時刻情報をのせた標準電波を受信する電波時計から前記時刻情報を受け取るステップと、
前記非接触型ＩＣタグから読み取った前記期日情報を前記電波時計から受け取った現在時刻で判定処理するステップとを含む期日管理方法。
【請求項２】
期日情報を保持する非接触型ＩＣタグと、
前記非接触型ＩＣタグに保持されている前記期日情報を非接触で読み取る情報読み取り装置と、
時刻情報をのせた標準電波を受信する電波時計と、
前記情報読み取り装置が前記非接触型ＩＣタグから読み取った前記期日情報を前記電波時計から与えられる現在時刻で判定処理する制御装置とを備えた期日管理システム。
【請求項３】
前記非接触型ＩＣタグに保持されている前記期日情報が製品有効期限を含み、前記制御装置は、前記製品有効期限を前記電波時計の現在時刻で判定処理した結果に基づいて、交換時期の接近または到来を報知する信号を生成出力する請求項２に記載の期日管理システム。
【請求項４】
前記非接触型ＩＣタグに保持されている前記期日情報が製品有効期限を含み、前記制御装置は、前記製品有効期限を前記電波時計の現在時刻で判定処理した結果、前記現在時刻が前記製品有効期限を経過しているときは、被制御機器を強制的に不動作モードに設定する信号を生成出力する請求項２に記載の期日管理システム。
【請求項５】
前記非接触型ＩＣタグが自然劣化部品に付されている請求項３または請求項４に記載の期日管理システム。
【請求項６】
非接触型ＩＣタグに保持されている期日情報を非接触で読み取る情報読み取り装置と、
時刻情報をのせた標準電波を受信する電波時計と、
前記情報読み取り装置が前記非接触型ＩＣタグから読み取った前記期日情報を前記電波時計から与えられる現在時刻で判定処理する制御装置とを備えた期日管理装置。
【請求項７】
前記非接触型ＩＣタグに保持されている前記期日情報が製品有効期限を含み、前記制御装置は、前記製品有効期限を前記電波時計の現在時刻で判定処理した結果に基づいて、交換時期の接近または到来を報知する信号を生成出力する請求項６に記載の期日管理装置。
【請求項８】
前記非接触型ＩＣタグに保持されている前記期日情報が製品有効期限を含み、前記制御装置は、前記製品有効期限を前記電波時計の現在時刻で判定処理した結果、前記現在時刻が前記製品有効期限を経過しているときは、被制御機器を強制的に不動作モードに設定する信号を生成出力する請求項６に記載の期日管理装置。
【請求項９】
非接触型ＩＣタグに保持されている期日情報を非接触で読み取る情報読み取り装置から前記期日情報を受け取り、かつ、時刻情報をのせた標準電波を受信する電波時計から前記時刻情報を受け取り、前記情報読み取り装置からの前記期日情報を前記電波時計から与えられる現在時刻で判定処理する制御装置を含む期日管理用の半導体集積回路装置。
【請求項１０】
前記非接触型ＩＣタグに保持されている前記期日情報が製品有効期限を含み、前記制御装置は、前記製品有効期限を前記電波時計の現在時刻で判定処理した結果に基づいて、交換時期の接近または到来を報知する信号を生成出力する請求項９に記載の期日管理用の半導体集積回路装置。
【請求項１１】
前記非接触型ＩＣタグに保持されている前記期日情報が製品有効期限を含み、前記制御装置は、前記製品有効期限を前記電波時計の現在時刻で判定処理した結果、前記現在時刻が前記製品有効期限を経過しているときは、被制御機器を強制的に不動作モードに設定する信号を生成出力する請求項９に記載の期日管理用の半導体集積回路装置。
【請求項１２】
賞味期限情報を保持して飲食料品に付された非接触型ＩＣタグの前記賞味期限情報を非接触で読み取る情報読み取り装置と、
時刻情報をのせた標準電波を受信する電波時計と、
前記情報読み取り装置が前記非接触型ＩＣタグから読み取った前記賞味期限情報を前記電波時計から与えられる現在時刻で判定処理する制御装置とを備えた賞味期限管理装置。
【請求項１３】
前記制御装置は、前記賞味期限情報を前記電波時計の現在時刻で判定処理した結果に基づいて、賞味期限の接近または到来を報知する信号を生成出力する請求項１２に記載の賞味期限管理装置。
【請求項１４】
前記制御装置は、賞味期限の接近または到来を報知する信号を生成出力する場合に、あらかじめ設定された携帯電話または携帯情報端末にメールを送信して知らせる請求項１３に記載の賞味期限管理装置。
【請求項１５】
非接触型ＩＣカードに保持されている定期券有効期限情報を非接触で読み取る情報読み取り装置と、
時刻情報をのせた標準電波を受信する電波時計と、
前記情報読み取り装置が前記非接触型ＩＣカードから読み取った前記定期券有効期限情報を前記電波時計から与えられる現在時刻で判定処理する制御装置とを備えた定期券確認システム。
【請求項１６】
非接触型ＩＣタグに保持されている定期券有効期限情報を非接触で読み取る情報読み取り装置と、
時刻情報をのせた標準電波を受信する電波時計と、
前記情報読み取り装置が前記非接触型ＩＣタグから読み取った前記定期券有効期限情報を前記電波時計から与えられる現在時刻で判定処理する制御装置とを備えた定期券確認システム。
【請求項１７】
前記制御装置は、前記定期券有効期限情報を前記電波時計の現在時刻で判定処理した結果に基づいて、定期券有効期限の接近または到来を報知する信号を生成出力する請求項１５または請求項１６に記載の定期券確認システム。
【発明の詳細な説明】
【技術分野】
【０００１】
本発明は、非接触型ＩＣタグを用いて製品有効期限や賞味期限などの指定期日の管理を行う期日管理方法、期日管理システム、期日管理装置、期日管理用の半導体集積回路装置、賞味期限管理装置および定期券確認システムに関する。
【背景技術】
【０００２】
従来、部品の寿命を把握するのに非接触型ＩＣタグを利用する装置が提案されている。例えば、インクジェットプリンタにおいて、その光源の寿命を管理する装置として、次のようなものがある。光源に非接触型ＩＣタグが取り付けられている。制御装置は、光源の点灯時間を計時するとともに、光源の点灯・消灯回数を数えるように構成されている。電源オフ時に、制御装置が計時した点灯時間と点灯消灯回数を非接触型ＩＣタグに書き込む。次の電源オン時に、制御装置が非接触型ＩＣタグから点灯時間と点灯消灯回数を読み取り、点灯時間が設定時間以下であるか否か、また、点灯消灯回数が設定回数以下であるか否かを判定することにより、光源の寿命を把握し、交換時期を知らせる（特許文献１参照）。
【０００３】
また、同様にインクジェットプリンタのワイパブレードの寿命を把握し、交換時期を知らせる方法も開示されている（特許文献２参照）。
【０００４】
電子機器の電源スイッチがオンされた時刻からオフされる時刻までの通電時間を累積し、その通電累積時間とあらかじめ設定された消耗部品の寿命時間とを比較判定して、交換時期を知らせる方法も開示されている（特許文献３参照）。
【特許文献１】特開２００５−１３８４７６号公報（第６−１１頁、第１−８図）
【特許文献２】特開２００５−１３８４７９号公報（第６−１１頁、第１−５図）
【特許文献３】特開平６−２６７２５８号公報（第２−４頁、第１−４図）
【発明の開示】
【発明が解決しようとする課題】
【０００５】
例えば石油ファンヒータの吸気用ゴムパイプのように自然劣化を起こすゴム製部品の場合は、使用するかどうかにかかわらず、製造されてから一定の期間が経つと自然に劣化する。飲食料品の場合には、賞味期限がある。しかし、これらは、使用時間または使用回数の累積値といったものとは別のものである。使用時間または使用回数の累積値を基に寿命の判定を行う上記従来の寿命管理装置は、自然劣化部品の寿命管理や飲食料品の賞味期限管理には適さない。すなわち、自然劣化部品や飲食料品の場合には、製品有効期限と現在時刻の比較がポイントになるが、人為的な時刻設定や設定変更には誤りが入り込む余地があり、誤判定を起こす可能性がある。
【０００６】
本発明は、このような事情に鑑みて創作したものであり、誤判定をなくし高精度に期日管理、賞味期限管理を行える技術を提供することを目的としている。
【課題を解決するための手段】
【０００７】
本発明による期日管理方法は、
期日情報を保持する非接触型ＩＣタグから前記期日情報を非接触で読み取るステップと、
時刻情報をのせた標準電波を受信する電波時計から前記時刻情報を受け取るステップと、
前記非接触型ＩＣタグから読み取った前記期日情報を前記電波時計から受け取った現在時刻で判定処理するステップとを含むものである。
【０００８】
本発明による期日管理システムは、
期日情報を保持する非接触型ＩＣタグと、
前記非接触型ＩＣタグに保持されている前記期日情報を非接触で読み取る情報読み取り装置と、
時刻情報をのせた標準電波を受信する電波時計と、
前記情報読み取り装置が前記非接触型ＩＣタグから読み取った前記期日情報を前記電波時計から与えられる現在時刻で判定処理する制御装置とを備えたものである。
【０００９】
本発明による期日管理装置は、
非接触型ＩＣタグに保持されている期日情報を非接触で読み取る情報読み取り装置と、
時刻情報をのせた標準電波を受信する電波時計と、
前記情報読み取り装置が前記非接触型ＩＣタグから読み取った前記期日情報を前記電波時計から与えられる現在時刻で判定処理する制御装置とを備えたものである。これは、上記の期日管理システムから構成要素として非接触型ＩＣタグを外したものに相当している。
【００１０】
本発明による期日管理用の半導体集積回路装置は、
非接触型ＩＣタグに保持されている期日情報を非接触で読み取る情報読み取り装置から前記期日情報を受け取り、かつ、時刻情報をのせた標準電波を受信する電波時計から前記時刻情報を受け取り、前記情報読み取り装置からの前記期日情報を前記電波時計から与えられる現在時刻で判定処理する制御装置を含むものである。これは、上記の期日管理装置から構成要素として情報読み取り装置と電波時計を外したものに相当している。
【００１１】
これらの構成においては、情報読み取り装置が非接触型ＩＣタグから期日情報を読み取り、制御装置に渡す。制御装置は、電波時計から現在時刻を入力し、期日情報を現在時刻で判定することにより、指定期日が到来したか等を確認する。電波時計が標準電波から受け取る時刻情報は標準電波送信所によって高度に正確に管理されており、誤差が含まれることはない。その高精度な電波時計による現在時刻で非接触型ＩＣタグの期日情報を判定するので、その判定の精度はきわめて高いものとなる。すなわち、従来技術に認められたような人為的な時刻設定や時刻設定変更のミスに起因する誤判定を免れる。特に、自然劣化する部品や商品を対象とする場合に、その使用時間の長短や使用回数の大小とかには関係なく、製造されてからの期間経過を正確に反映した寿命管理が可能となる。自然劣化する部品や商品としては、上記のようなゴム製部品、医薬品、医薬部外品、化粧品など任意のものを対象としてよく、それぞれの使用期限を的確に管理する上で有用となる。温度面、湿度面、圧力面、振動面などで過酷な環境で使用される各種機器における電気的部品、機械的部品なども対象となる。
【００１２】
また、上記構成の期日管理システムまたは期日管理装置または半導体集積回路装置において、前記非接触型ＩＣタグに保持されている前記期日情報が製品有効期限を含み、前記制御装置は、前記製品有効期限を前記電波時計の現在時刻で判定処理した結果に基づいて、交換時期の接近または到来を報知する信号を生成出力するという態様がある。この場合、利用者に対して交換時期の接近または到来を知らせることが可能になるが、上記のように期日判定が電波時計に基づいて行われるので、交換時期の接近または到来の報知を的確に行うことが可能となる。
【００１３】
また、上記構成の期日管理システムまたは期日管理装置または半導体集積回路装置において、前記非接触型ＩＣタグに保持されている前記期日情報が製品有効期限を含み、前記制御装置は、前記製品有効期限を前記電波時計の現在時刻で判定処理した結果、前記現在時刻が前記製品有効期限を経過しているときは、被制御機器を強制的に不動作モードに設定する信号を生成出力するという態様がある。この場合、被制御機器の使用が製品有効期限を経過したときは、その被制御機器を強制的に不動作状態に設定するので、被制御機器の誤動作を未然に確実に防止することが可能になる。そして、製品有効期限判定が電波時計に基づいて行われるので、安全管理を高度に実現することが可能となる。
【００１４】
そして、上記において、前記非接触型ＩＣタグが自然劣化部品に付されている場合には、上記の作用効果を最大限に発揮することが可能になる。すなわち、その自然劣化部品の使用時間の長短や使用回数の大小とかには関係なく、製造されてからの期間経過を正確に反映した寿命管理が可能となる。
【００１５】
本発明による賞味期限管理装置は、
賞味期限情報を保持して飲食料品に付された非接触型ＩＣタグの前記賞味期限情報を非接触で読み取る情報読み取り装置と、
時刻情報をのせた標準電波を受信する電波時計と、
前記情報読み取り装置が前記非接触型ＩＣタグから読み取った前記賞味期限情報を前記電波時計から与えられる現在時刻で判定処理する制御装置とを備えたものである。この賞味期限管理装置は、冷蔵庫や冷凍庫などに搭載される。なお、飲食料品には調味料なども含まれる。
【００１６】
この構成においては、情報読み取り装置が非接触型ＩＣタグから賞味期限情報を読み取り、制御装置に渡す。制御装置は、電波時計から現在時刻を入力し、賞味期限情報を現在時刻で判定することにより、賞味期限が到来したか等を確認する。電波時計が標準電波から受け取る時刻情報は標準電波送信所によって高度に正確に管理されており、誤差が含まれることはない。その高精度な電波時計による現在時刻で非接触型ＩＣタグの賞味期限情報を判定するので、その判定の精度はきわめて高いものとなる。すなわち、人為的な時刻設定や時刻設定変更のミスに起因する誤判定を免れ、味や衛生の面で食料品を安全に管理することが可能になる。
【００１７】
上記構成の賞味期限管理装置において、前記制御装置は、前記賞味期限情報を前記電波時計の現在時刻で判定処理した結果に基づいて、賞味期限の接近または到来を報知する信号を生成出力するという態様がある。この場合、利用者に対して賞味期限の接近または到来を知らせることが可能になるが、上記のように賞味期限判定が電波時計に基づいて行われるので、賞味期限の接近または到来の報知を的確に行うことが可能となる。
【００１８】
上記構成の賞味期限管理装置において、前記制御装置は、賞味期限の接近または到来を報知する信号を生成出力する場合に、あらかじめ設定された携帯電話または携帯情報端末にメールを送信して知らせるという態様がある。この場合、外出先の利用者にメールで賞味期限が迫ってきたことを知らせることが可能で、利用者の買い物の便に供することが可能である。
【００１９】
本発明による定期券確認システムは、
非接触型ＩＣカードに保持されている定期券有効期限情報を非接触で読み取る情報読み取り装置と、
時刻情報をのせた標準電波を受信する電波時計と、
前記情報読み取り装置が前記非接触型ＩＣカードから読み取った前記定期券有効期限情報を前記電波時計から与えられる現在時刻で判定処理する制御装置とを備えたものである。これは、非接触型ＩＣカードを対象としている。
【００２０】
また、本発明による定期券確認システムは、
非接触型ＩＣタグに保持されている定期券有効期限情報を非接触で読み取る情報読み取り装置と、
時刻情報をのせた標準電波を受信する電波時計と、
前記情報読み取り装置が前記非接触型ＩＣタグから読み取った前記定期券有効期限情報を前記電波時計から与えられる現在時刻で判定処理する制御装置とを備えたものである。これは、非接触型ＩＣタグを対象としている。
【００２１】
この構成においては、情報読み取り装置が非接触型のＩＣカードまたはＩＣタグから定期券有効期限情報を読み取り、制御装置に渡す。制御装置は、電波時計から現在時刻を入力し、定期券有効期限情報を現在時刻で判定することにより、定期券有効期限が到来したか等を確認する。電波時計が標準電波から受け取る時刻情報は標準電波送信所によって高度に正確に管理されており、誤差が含まれることはない。その高精度な電波時計による現在時刻で定期券有効期限を判定するので、その判定の精度はきわめて高いものとなる。
【００２２】
上記構成の定期券確認システムにおいて、前記制御装置は、前記定期券有効期限情報を前記電波時計の現在時刻で判定処理した結果に基づいて、定期券有効期限の接近または到来を報知する信号を生成出力するという態様がある。この場合、利用者に対して定期券有効期限の接近または到来を知らせることが可能になるが、上記のように定期券有効期限判定が電波時計に基づいて行われるので、定期券有効期限の接近または到来の報知を的確に行うことが可能となる。
【発明の効果】
【００２３】
本発明によれば、非接触型ＩＣタグの期日情報を判定する上で基準となる現在時刻として、標準電波送信所によって高度に正確に管理され誤差のない標準電波に含まれる時刻情報を電波時計が受け取って用いるようにしているので、高精度な判定が可能となり、従来技術に認められたような人為的な時刻設定や時刻設定変更のミスに起因する誤判定を免れる。したがって、非常に安全で、手間のかからない期日管理・期限管理を実現することができる。
【発明を実施するための最良の形態】
【００２４】
以下、本発明にかかわる実施の形態を図面を用いて詳細に説明する。
【００２５】
（実施の形態１）
図１は本発明の実施の形態１における期日管理システムＡの構成を示すブロック図である。本実施の形態の期日管理システムＡは、製品固有情報と製品有効期限情報を有する非接触型ＩＣタグ１と、非接触型ＩＣタグ１に保持されている製品固有情報と製品有効期限情報を読み取る情報読み取り装置２と、電波時計３、制御装置４、表示装置５、音声出力装置６および被制御機器７から構成されている。製品有効期限情報は上述の期日情報の一例である。
【００２６】
被制御機器７は、ある固有の機能を有する装置であれば、どんなものでもよい。例えば、ＡＶ機器、石油ファンヒータなどの家庭電化製品や通信機器や自動車の電子機器などである。
【００２７】
非接触型ＩＣタグ１は、ＲＦＩＤ（Radio Frequency Identification）方式の読み書き可能な不揮発性半導体メモリと、アンテナと、受信電波を受けて起電力を発生する電源回路と、情報書込・読取装置からアンテナを介して受信した電波の信号を復調し、情報書込・読取装置へ送信する電波の信号に変調する通信回路と、半導体メモリとの送受信データの読み書きを制御する制御装置から構成されている。この非接触型ＩＣタグ１は、例えば、ゴム製部品などのように自然劣化部品などに埋め込まれて使用される。
【００２８】
情報読み取り装置２は、非接触型ＩＣタグ１から製品固有情報と製品有効期限情報を読み取り、制御装置４に受け渡す機能を有している。なお、製品固有情報と製品有効期限情報を非接触型ＩＣタグ１内の不揮発性半導体メモリに書き込むための書き込み装置については、本実施の形態の期日管理システムＡでは、必要としない。
【００２９】
電波時計３は、アンテナ、受信機、マイクロプロセッサまたは専用集積回路によって構成されている。標準電波送信所から送信される時刻情報をのせた標準電波をアンテナを介して受信機で受信し、マイクロプロセッサまたは専用集積回路で時刻信号の解読を行い、正しい現在時刻（年月日時分秒）情報を生成する。標準電波送信所としては、日本では、福島県の「おおたかどや山標準電波送信所」や九州の「はがね山標準電波送信所」などがあり、概ねどの地域でも標準電波を受信できるようになっている。
【００３０】
制御装置４は、ＣＰＵと制御プログラムを記憶したメモリ（例えばＲＯＭやＥＰＲＯＭなど）と、書き換え可能なメモリ（例えばＲＡＭ）によって構成されたマイクロプロセッサまたは専用集積回路であり、非接触型ＩＣタグ１から取得した製品有効期限情報を電波時計３の現在時刻を基に判定処理し、処理結果データを表示装置５や音声出力装置６や被制御機器７に出力する機能を有している。
【００３１】
表示装置５は、制御装置４からの出力データを表示する働きをもつ。また、音声出力装置６は、制御装置４からの出力データを音声として出力する働きをもつ。
【００３２】
次に、上記のように構成された本実施の形態の期日管理システムＡの動作を図２のフローチャートに従って説明する。このフローチャートのプログラムは制御装置４内のメモリに記憶されている。
【００３３】
まず、ステップＳ１において、情報読み取り装置２は非接触型ＩＣタグ１から製品固有情報と製品有効期限情報を読み取り、制御装置４にＩＣタグ１の情報を受け渡す。製品有効期限情報としては、有効年月日時間情報、または製造年月日時間情報と有効期間情報を用いることができる。
【００３４】
次いでステップＳ２において、制御装置４は、電波時計３から現在時刻情報（年月日時分秒）を読み取る。
【００３５】
次いでステップＳ３において、制御装置４は、非接触型ＩＣタグ１から取得した製品有効期限情報を電波時計３の現在時刻情報を用いて、現在時刻が製品有効期限を過ぎているか否かを判定する。そして、製品有効期限を過ぎていないと判定したときは、ステップＳ４に進み、製品有効期限を過ぎていると判定したときは、ステップＳ８に進む。
【００３６】
ステップＳ４において、制御装置４は、現在時刻が製品有効期限前一定期間内か否かを判定する。そして、現在時刻が製品有効期限前一定期間内になっておらず、製品有効期限まで充分な時間的余裕がある場合には、ステップＳ５に進んで、制御装置４は被制御機器７を正常動作モードに設定するためのモード制御信号を被制御機器７に出力する。そのモード制御信号を受けた被制御機器７は自分自身を正常動作状態に設定する。
【００３７】
一方、ステップＳ４の判断で製品有効期限前一定期間内であると判定したときは、ステップＳ６に進んで、交換時期が接近していることを示す予告データを表示装置５や音声出力装置６に出力する。その予告データを受けた表示装置５や音声出力装置６は、交換時期が近いことを利用者に知らせる。
【００３８】
次いでステップＳ７において、制御装置４は、被制御機器７をセーフティ動作モードに設定するためのモード制御信号を被制御機器７に出力する。そのモード制御信号を受けた被制御機器７は自分自身をセーフティ動作状態に設定する。セーフティ動作状態とは、例えば、石油ファンヒータの場合であれば、一定時間ごとに換気が必要なことを知らせるとか、一定時間使用したら石油ファンヒータの動作を止めるなど、安全に配慮した動作状態のことである。
【００３９】
一方、ステップＳ３の判断で製品有効期限を過ぎていると判定してステップＳ８に進むと、制御装置４は、製品有効期限を過ぎており製品交換が必要であることを示す警告データを表示装置５や音声出力装置６に出力する。その警告データを受けた表示装置５や音声出力装置６は、製品有効期限時期を過ぎており、製品交換が必要であることを利用者に知らせる。
【００４０】
次いでステップＳ９において、制御装置４は、あらかじめの措置により不動作設定がなされているか否かを判断し、不動作設定がなされていないときは、ステップＳ７に進んで、被制御機器７をセーフティ動作モードに設定する。一方、不動作設定がなされているときは、ステップＳ１０に進んで、制御装置４は被制御機器７を強制的に不動作モードに設定するためのモード制御信号を被制御機器７に出力する。そのモード制御信号を受けた被制御機器７は、自分自身を強制的に不動作状態に設定する。
【００４１】
以上のように本実施の形態の期日管理システムＡによれば、製品有効期限判定が電波時計３による高精度な現在時刻に基づいて行われるので、利用者に対し交換時期の接近または到来の報知を的確に行うことができる。また、製品有効期限を経過したときは、被制御機器７を強制的に不動作モードにするので、被制御機器７の誤動作を未然に確実に防止することできる。すなわち、人為的な時刻設定ミスに起因する被制御機器７の誤動作や人為的な時刻設定変更に起因する被制御機器７の誤使用・誤動作を未然に防止することができ、安全性および信頼性の高い期日管理システムを実現できる。
【００４２】
（実施の形態２）
図３は本発明の実施の形態２における有効期限管理装置Ｂ（期日管理装置の一例）を含む期日管理システムの構成を示すブロック図である。図３において、実施の形態１の図１におけるのと同じ符号は同一構成要素を指している。実施の形態１の期日管理システムＡが構成要素の１〜７から構成されているのに対して、本実施の形態の有効期限管理装置Ｂは、情報読み取り装置２、電波時計３および制御装置４から構成されている。その他の構成については、実施の形態１と同様であるので、説明を省略する。
【００４３】
本実施の形態の有効期限管理装置Ｂの動作は、実施の形態１の場合の図２に示すフローチャートと同様になる。
【００４４】
本実施の形態の有効期限管理装置Ｂの場合も、実施の形態１の場合と同様に、人為的な時刻設定ミスや時刻設定変更に起因する被制御機器７の誤使用・誤動作を未然に防止して、安全性および信頼性の高い期日管理システムを実現することができる。
【００４５】
（実施の形態３）
図４は本発明の実施の形態３における期日管理用の半導体集積回路装置Ｃを含む期日管理システムの構成を示すブロック図である。図４において、実施の形態２の図３におけるのと同じ符号は同一構成要素を指している。本実施の形態の期日管理用の半導体集積回路装置Ｃは、有効期限管理装置Ｂの内部における制御装置４に相当し、半導体集積回路で構成された処理回路４ａをもって構成されている。その他の構成については、実施の形態２と同様であるので、説明を省略する。
【００４６】
本実施の形態の期日管理用の半導体集積回路装置Ｃの動作は、実施の形態１の場合の図２に示すフローチャートと同様になる。
【００４７】
本実施の形態の期日管理用の半導体集積回路装置Ｃの場合も、実施の形態１の場合と同様に、人為的な時刻設定ミスや時刻設定変更に起因する被制御機器７の誤使用・誤動作を未然に防止して、安全性および信頼性の高い期日管理システムを実現することができる。
【００４８】
（実施の形態４）
図５は本発明の実施の形態４における飲食料品の賞味期限管理装置Ｄを含む期日管理システムの構成を示すブロック図である。図５において、実施の形態２の図３におけるのと同じ符号は同一構成要素を指している。非接触型ＩＣタグ１は、飲食料品固有情報と賞味期限情報を保持しており、飲食料品の包装に付設される。本実施の形態の賞味期限管理装置Ｄは、飲食料品を保存する冷蔵庫または冷凍庫に搭載される。図３の場合の被制御機器７がなく、代わりに、メール送信装置８が制御装置４に接続されている。情報読み取り装置２は、非接触型ＩＣタグ１から飲食料品固有情報と賞味期限情報を読み取り、制御装置４に受け渡す機能を有している。制御装置４は、非接触型ＩＣタグ１から取得した賞味期限情報と電波時計３の現在時刻情報を処理し、処理結果データを表示装置５や音声出力装置６やメール送信装置８に出力する機能を有している。メール送信装置８は、制御装置４から出力されるメール送信データを基にあらかじめ設定された携帯電話または携帯情報端末９に電子メールとしてメッセージを送る働きをもつ。ＩＰｖ６（Internet Protocol version 6）になれば、１２８ビットの広大なＩＰアドレス空間をもつことができるので、メール送信装置８にもＩＰアドレスを割り振ることができる。その他の構成については、実施の形態２と同様であるので、説明を省略する。
【００４９】
次に、上記のように構成された本実施の形態の賞味期限管理装置Ｄの動作を図６のフローチャートに従って説明する。このフローチャートのプログラムは制御装置４内のメモリに記憶されている。
【００５０】
まず、ステップＳ１１において、情報読み取り装置２は非接触型ＩＣタグ１から飲食料品固有情報と賞味期限情報を読み取り、制御装置４にＩＣタグ１の情報を受け渡す。賞味期限情報としては、賞味期限年月日時間情報、または製造年月日時間情報と賞味期間情報を用いることができる。
【００５１】
次いでステップＳ１２において、制御装置４は、電波時計３から現在時刻を読み取る。
【００５２】
次いでステップＳ１３において、制御装置４は、非接触型ＩＣタグ１から取得した賞味期限情報を電波時計３の現在時刻情報を用いてで判定し、現在時刻が賞味期限を過ぎているか否かを判定する。そして、賞味期限を過ぎていないと判定したときは、ステップＳ１４に進み、賞味期限を過ぎていると判定したときは、ステップＳ１６に進む。
【００５３】
ステップＳ１４において、制御装置４は、現在時刻が賞味期限前一定期間内か否かを判定する。そして、現在時刻が賞味期限前一定期間内になっておらず、賞味期限まで充分な時間的余裕がある場合には、ステップＳ１７に進む。
【００５４】
一方、ステップＳ１４の判断で賞味期限前一定期間内であると判定したときは、ステップＳ１５に進んで、賞味期限が接近していることを示す予告データを表示装置５や音声出力装置６に出力する。その予告データを受けた表示装置５や音声出力装置６は、賞味期限が近いことを利用者に知らせる。次いでステップＳ１７に進む。
【００５５】
一方、ステップＳ１３の判断で賞味期限を過ぎていると判定してステップＳ１６に進むと、制御装置４は、賞味期限を過ぎていること示す警告データを表示装置５や音声出力装置６に出力する。その警告データを受けた表示装置５や音声出力装置６は、賞味期限を過ぎていることを利用者に知らせる。次いでステップＳ１７に進む。
【００５６】
ステップＳ１７に進むと、制御装置４は、あらかじめの措置によりメール送信の設定がなされているか否かを判断し、メール送信の設定がなされているときは、ステップＳ１８に進んで、メール送信データをメール送信装置８に出力する。メール送信データを受けたメール送信装置８は、自動的にあらかじめ設定された携帯電話または携帯情報端末９に電子メールとしてメッセージを送信する。
【００５７】
以上のように本実施の形態の賞味期限管理装置Ｄによれば、賞味期限判定が電波時計３による高精度な現在時刻に基づいて行われるので、利用者に対し賞味期限の接近または到来の報知を的確に行うことができる。すなわち、人為的な時刻設定ミスや時刻設定変更に起因する誤判定から免れ、味や衛生の面で飲食料品を安全に管理することができる。また、賞味期限の接近または到来を携帯電話または携帯情報端末にメール送信することにより、外出先の利用者にメールで賞味期限が迫ってきたことを知らせることが可能で、利用者の買い物の便に供することが可能である。
【００５８】
（実施の形態５）
図７は本発明の実施の形態５における定期券確認システムＥの構成を示すブロック図である。図７において、実施の形態１の図１におけるのと同じ符号は同一構成要素を指している。非接触型ＩＣカード１ａは、定期券固有情報と定期券有効期限情報を保持している。本実施の形態の定期券確認システムＥは、定期券固有情報と定期券有効期限情報を有する非接触型ＩＣカード１ａ、非接触型ＩＣカードの情報を読み取る情報読み取り装置２を備えている。非接触型ＩＣカード１ａは、ＲＦＩＤ方式の読み書き可能な不揮発性半導体メモリと、アンテナと、受信電波を受けて起電力を発生する電源回路と、情報書込・読取装置からアンテナを介して受信した電波の信号を復調し、情報書込・読取装置へ送信する電波の信号に変調する通信回路と、半導体メモリとの送受信データの読み書きを制御する制御装置から構成されている。情報読み取り装置２は、非接触型ＩＣカード１ａから定期券固有情報と定期券有効期限情報を読み取り、制御装置４に受け渡す機能を有している。制御装置４は、非接触型ＩＣカード１ａから取得した定期券有効期限情報と電波時計３の現在時刻情報を処理し、処理結果データを表示装置５や音声出力装置６や通行ゲート１０に出力する機能を有している。なお、非接触型ＩＣカード１ａに代えて、非接触型ＩＣタグに定期券固有情報と定期券有効期限情報が保持されている場合もある。その他の構成については、実施の形態１と同様であるので、説明を省略する。
【００５９】
次に、上記のように構成された本実施の形態の定期券確認システムＥの動作を図８のフローチャートに従って説明する。
【００６０】
まず、ステップＳ２１において、情報読み取り装置２は非接触型ＩＣカード１ａから定期券固有情報と定期券有効期限情報を読み取り、制御装置４にＩＣカード１ａの情報を受け渡す。定期券有効期限情報としては、開始年月日時間情報と有効年月日時間情報、または開始年月日時間情報と有効期間情報を用いることができる。
【００６１】
次いでステップＳ２２において、制御装置４は、電波時計３から現在時刻情報を読み取る。
【００６２】
次いでステップＳ２３において、制御装置４は、非接触型ＩＣカード１ａから取得した定期券有効期限情報を電波時計３の現在時刻情報を用いて、現在時刻が定期券有効期限を過ぎていないかを判定する。そして、定期券有効期限を過ぎていないと判定したときは、ステップＳ２４に進み、定期券有効期限を過ぎていると判定したときは、ステップＳ２６に進む。
【００６３】
ステップＳ２４において、制御装置４は、現在時刻が定期券有効期限前一定期間内か否かを判定する。そして、現在時刻が定期券有効期限前一定期間内になっておらず、定期券有効期限まで充分な時間的余裕がある場合には、次のステップに進む。
【００６４】
一方、ステップＳ２４の判断で定期券有効期限前一定期間内であると判定したときは、ステップＳ２５に進んで、更新時期が接近していることを示す予告データを表示装置５や音声出力装置６に出力する。その予告データを受けた表示装置５や音声出力装置６は、更新時期が近いことを利用者に知らせる。
【００６５】
一方、ステップＳ２３の判断で定期券有効期限を過ぎていると判定してステップＳ２６に進むと、制御装置４は、定期券有効期限を過ぎていることを示す警告データを表示装置５や音声出力装置６に出力する。その警告データを受けた表示装置５や音声出力装置６は、定期券有効期限を過ぎており、定期券の更新が必要であることを利用者および管理者に知らせる。さらに、制御装置４は制御信号を通行ゲート１０に出力する。その制御信号を受けた通行ゲート１０は、利用者の通行を遮断するように動作する。
【００６６】
以上のように本実施の形態の定期券確認システムＥによれば、定期券有効期限判定が電波時計３による高精度な現在時刻に基づいて行われるので、利用者に対し定期券有効期限の接近または到来の報知を的確に行い、違反できないようにすることができる。すなわち、人為的な時刻設定ミスや時刻設定変更に起因する誤判定から免れ、新規の定期券購入のタイミングを効果的に管理することができる。
【産業上の利用可能性】
【００６７】
本発明の技術は、非接触型ＩＣタグ（非接触型ＩＣカード）と電波時計を用いることにより、人為的な時刻設定や時刻設定変更のミスに起因する誤判定を免れるため、非常に安全であるばかりでなく、手間も掛からないという利点があり、広く各種電子機器や飲食料品の冷凍・冷蔵保存装置や定期券確認システムなどに応用することができる。
【図面の簡単な説明】
【００６８】
【図１】本発明の実施の形態１における期日管理システムの構成を示すブロック図
【図２】本発明の実施の形態１における期日管理システムの処理の手順を示すフローチャート
【図３】本発明の実施の形態２における有効期限管理装置を含む期日管理システムの構成を示すブロック図
【図４】本発明の実施の形態３における期日管理用の半導体集積回路装置を含む期日管理システムの構成を示すブロック図
【図５】本発明の実施の形態４における飲食料品の賞味期限管理装置を含む期日管理システムの構成を示すブロック図
【図６】本発明の実施の形態１における賞味期限管理装置を含む期日管理システムの処理の手順を示すフローチャート
【図７】本発明の実施の形態５における定期券確認システムの構成を示すブロック図
【図８】上記実施の形態５における定期券確認システムの処理の手順を示すフローチャート
【符号の説明】
【００６９】
Ａ  期日管理システム
Ｂ  有効期限管理装置
Ｃ  期日管理用の半導体集積回路装置
Ｄ  賞味期限管理装置
Ｅ  定期券確認システム
１  非接触型ＩＣタグ
１ａ  非接触型ＩＣカード
２  情報読み取り装置
３  電波時計
４  制御装置
５  表示装置
６  音声出力装置
７  被制御機器
８  メール送信装置
９  携帯電話または携帯情報端末
１０  通行ゲート
【図１】
2008059067.tif 000003
【図２】
2008059067.tif 000004
【図３】
2008059067.tif 000005
【図４】
2008059067.tif 000006
【図５】
2008059067.tif 000007
【図６】
2008059067.tif 000008
【図７】
2008059067.tif 000009
【図８】
2008059067.tif 000010